(57)【要約】【課題】スライド（操作）感が良好になるとともに、音圧力によるビビリも抑制されて品質が安定化するスピーカーの音量調整装置を提供する。【解決手段】報知ユニットボックス（スピーカーボックス）１のスピーカー発音開口２に、このスピーカー発音開口２の開度を調整可能な可動式遮音プレート６が設けられ、この遮音プレート６は、スピーカー発音開口２の前面部分に形成されたスライド用溝１ｄにスライド用突起６ａが係合して、スピーカー発音開口２の前面と平行にスライドする可動式であり、この遮音プレート６に、スライド用溝１ｄに弾性接触する弾性接触片６ｃが形成されている。【選択図】図１
2008172468.tif 000002
【特許請求の範囲】
【請求項１】
スピーカーボックスのスピーカー発音開口に、このスピーカー発音開口の開度を調整可能な可動式遮音プレートが設けられ、この遮音プレートは、スピーカー発音開口の前面部分に形成されたスライド用溝にスライド用突起が係合して、スピーカー発音開口の前面と平行にスライドする可動式であり、この遮音プレートに、スライド用溝に弾性接触する弾性接触片が形成されていることを特徴とするスピーカーの音量調整装置。
【請求項２】
前記スピーカー発音開口の前面部分に、少なくとも遮音プレートの前方をカバー可能な可動式保護カバーが取付けられていることを特徴とする請求項１に記載のスピーカーの音量調整装置。
【発明の詳細な説明】
【技術分野】
【０００１】
本発明は、簡易なスピーカーの音量調整装置に関する。
【背景技術】
【０００２】
従来、音量調整装置としては、スピーカーの前方に設けられ、スピーカーで発生された音を通過させるための貫通孔が形成された遮蔽手段と、遮蔽手段の貫通孔を通過する音量を調節する調節手段とを備えたものがある（特許文献１参照）。
【特許文献１】特開平７−２２６９９１号公報
【発明の開示】
【発明が解決しようとする課題】
【０００３】
しかしながら、つまみの軸をつまみガイドに沿ってスライド操作するだけのものであるから、スライド（操作）感が悪く、音圧力によるビビリが発生しやすいので、品質が不安定になるという問題があった。
【０００４】
本発明は、前記問題を解消するためになされたもので、スライド（操作）感が良好になるとともに、音圧力によるビビリも抑制されて品質が安定化するスピーカーの音量調整装置を提供することを目的とするものである。
【課題を解決するための手段】
【０００５】
前記課題を解決するために、本発明は、スピーカーボックスのスピーカー発音開口に、このスピーカー発音開口の開度を調整可能な可動式遮音プレートが設けられ、この遮音プレートは、スピーカー発音開口の前面部分に形成されたスライド用溝にスライド用突起が係合して、スピーカー発音開口の前面と平行にスライドする可動式であり、この遮音プレートに、スライド用溝に弾性接触する弾性接触片が形成されていることを特徴とするスピーカーの音量調整装置を提供するものである。
【０００６】
請求項２のように、前記スピーカー発音開口の前面部分に、少なくとも遮音プレートの前方をカバー可能な可動式保護カバーが取付けられていることが好ましい。
【発明の効果】
【０００７】
本発明によれば、遮音プレートをスライド操作することで、スピーカー発音開口の開度を調整できるので、この開度の調整により、スピーカー発音開口から外部に発音される警報音等の音量を自由に調整できるようになる。
【０００８】
また、遮音プレートのスライド用突起とスライド用溝との係合状態に、製造時のばらつきが生じるような場合でも、遮音プレートの弾性接触片をスライド用溝に弾性接触させているから、スライド操作の固すぎや緩すぎ等が緩和されて、スライド（操作）感が良好になるとともに、音圧力によるビビリも抑制されるので、品質が安定化するようになる。
【０００９】
請求項２によれば、可動式保護カバーで遮音プレートの前方をカバー（隠蔽）できるから、遮音プレートが不用意に移動しなくなるので、知らない間に音量が高くなったり、低くなったりすることが未然に防止できるとともに、デザイン性も良好になる。
【発明を実施するための最良の形態】
【００１０】
以下、本発明を実施するための最良の形態について、図面を参照しながら詳細に説明する。
【００１１】
図１は、防犯装置等に用いられる報知ユニットボックス１であり、（ａ）は可動式保護カバー４を下動Ｄさせた斜視図、（ｂ）は可動式保護カバー４を上動Ｕさせた斜視図である。
【００１２】
報知ユニットボックス１は、例えば防犯センサー（不図示）と電気的に接続されていて、不審者が侵入等したことを防犯センサーで検知した場合に、前面１ａのスピーカー発音開口２から警報音等を報知するようになっている。
【００１３】
報知ユニットボックス１の内部には、各種の制御回路が収納されるとともに、スピーカー発音開口２の位置にスピーカーが取付けられていて、報知ユニットボックス１は、スピーカーボックスとして機能することになる。
【００１４】
報知ユニットボックス１の前面１ａは、上段１Ａと中段１Ｂと下段１Ｃとに概ね区割りされていて、上段１Ａは、固定の保護カバー３でカバーされている。また、下段１Ｃには、報知ユニットボックス１の側面部分で上下移動可能に支持された可動式保護カバー４が取付けられ、この可動式保護カバー４は、中段１Ｂを開くように下動Ｄされるとともに〔図１（ａ）参照〕、中段１Ｂを閉じるように上動Ｕされるようになる〔図１（ｂ）参照〕。
【００１５】
報知ユニットボックス１の前面１ａの中段１Ｂには、幅方向のほぼ中央位置に前記スピーカー発音開口２が設けられ、右側位置に電源のオン・オフ等のスイッチ類５が設けられるとともに、左側位置に可動（スライド）式の遮音プレート６が設けられている。
【００１６】
報知ユニットボックス１の前面１ａの中段１Ｂには、図２および図３に示すように、上縁部１ｂと下縁部１ｃとに、少なくとも中央位置と左側位置に跨るように幅方向に延在するスライド用溝１ｄがそれぞれ形成されている。
【００１７】
遮音プレート６の上縁部と下縁部の左右位置には、スライド用突起６ａがそれぞれ形成され、各スライド用突起６ａは、図３（ａ）のように、上下のスライド用溝１ｄに前方から無理嵌めすることで（矢印参照）、上下のスライド用溝１ｄに係合させるようになっている。
【００１８】
中段１Ｂの上縁部１ｂと下縁部１ｃとには、係合時の誘い込み用テーパ１ｅがそれぞれ形成され、遮音プレート６のスライド用突起６ａの背面の上縁部と下縁部とには、係合時の誘い込み用テーパ６ｂがそれぞれ形成されている。
【００１９】
そして、遮音プレート６は、上下のスライド用溝１ｄに沿って、報知ユニットボックス１の幅方向（左右方向）、つまり、スピーカー発音開口２の前面と平行にスライドできるようになる。
【００２０】
遮音プレート６の幅方向の中間位置の上下部には、図２（ｂ）のように、上下のスライド用溝１ｄの底部に弾性接触するように撓み可能（矢印ａ参照）なアーム状の弾性接触片６ｃがそれぞれ形成されている。
【００２１】
遮音プレート６の前面には、音量の文字と、その大小を示す三角マークとが表示されるとともに、スピーカー発音開口２の開閉を示す文字と、その方向を示す双方向矢印とが表示されている。
【００２２】
前記のようなスピーカーの音量調整装置を備えた報知ユニットボックス１であれば、図２（ａ）の状態では、遮音プレート６が左方端にスライドされていて、スピーカー発音開口２の開度が全開となっているので、音量は最大レベルとなる。
【００２３】
この最大の音量を小さくする場合には、遮音プレート６を右方に、例えば矢印Ｅの位置に先端部が位置するまでスライドさせると、スピーカー発音開口２の開度が半開となるので、音量は中レベルとなる。さらに、遮音プレート６を右方に、例えば矢印Ｆの位置に先端部が位置するまでスライドさせると、スピーカー発音開口２の開度が全閉となるので、音量は最小レベルとなる。
【００２４】
このように、遮音プレート６をスライドさせるだけで、スピーカー発音開口２の開度を調整できるので、この開度の調整により、スピーカー発音開口２から外部に発音される警報音等の音量を自由に調整できるようになる。
【００２５】
また、ボリュームのような音量調整用の電気部品が不要であり、基本的には簡易な遮音プレート６を設けるだけで良いので、コスト安になるとともに、ボリュームの設置や状態表示スペースも不要となるので、小型化が図れるようになる。
【００２６】
さらに、遮音プレート６は、スピーカー発音開口２の前面部分に形成されたスライド用溝１ｄに係合させて、スピーカー発音開口２の前面と平行にスライドさせる可動式であるから、遮音プレート６をスライド操作するだけで、音量を自由に調整できるようになる。
【００２７】
また、遮音プレート６に、スライド用溝１ｄに弾性接触する弾性接触片６ｃを形成しているから、遮音プレート６とスライド用溝１ｄとの係合状態に、製造時のばらつきが生じるような場合でも、スライド操作の固すぎや緩すぎ等が緩和されて、スライド（操作）感が良好になるとともに、音圧力によるビビリも抑制されるので、品質が安定化するようになる。
【００２８】
さらに、可動式保護カバー４で遮音プレート６の前方をカバー（隠蔽）できるから〔図１（ｂ）参照〕、遮音プレート６が不用意に移動しなくなるので、知らない間に音量が高くなったり、低くなったりすることが未然に防止できるとともに、デザイン性も良好になる。なお、可動式保護カバー４には、スピーカー発音開口２に対応する位置に、スピーカー発音開口２から発音される警報音等を通行させるための貫通小孔が形成されている。
【００２９】
前記実施形態では、防犯装置等に用いられる報知ユニットボックス１であったが、その他、スピーカーを内蔵した種々のスピーカーボックスでも本発明が適用できることは言うまでもない。
【図面の簡単な説明】
【００３０】
【図１】本発明の実施形態に係る防犯装置等に用いられる報知ユニットボックスであり、（ａ）は可動式保護カバーを下動させた斜視図、（ｂ）は可動式保護カバーを上動させた斜視図である。
【図２】（ａ）は報知ユニットボックスの正面図、（ｂ）は遮音プレートの正面図である。
【図３】（ａ）は遮音プレートとスライド用溝との係合関係を示す側面断面図、（ｂ）は（ａ）の要部拡大図である。
【符号の説明】
【００３１】
１    報知ユニットボックス
１ｄ  スライド用溝
２    スピーカー発音開口
４    可動式保護カバー
６    可動式遮音プレート
６ａ  スライド用突起
６ｃ  弾性接触片
【図１】
2008172468.tif 000003
【図２】
2008172468.tif 000004
【図３】
2008172468.tif 000005